(57)【要約】【課題】本発明の目的は、飲み口の位置を目で確認しなくても、容易に飲料を飲むことができる飲料用容器を得ることにある。【解決手段】容器本体１２に取付けられる飲料用容器の蓋１３は、蓋体３１、飲み口３２、および凸部３３を具備する。蓋体３１は、上面３５と側面３６とを有する。飲み口３２は、蓋体３１の上面３５の側面３６寄りの部位に開口する。凸部３３は、蓋体３１の側面３６において、飲み口３２の近傍で該飲み口３２と対応した部位に形成される。凸部３３は、下唇Ｌがこの凸部３３に接することで飲み口３２の位置を下唇Ｌの感触により飲用者に知覚せしめる。【選択図】図１
2006312467.tif 000002
【特許請求の範囲】
【請求項１】
上面と側面とを有する蓋体と、
前記上面の前記側面寄りの部位に開口する飲み口と、
前記側面に設けられる凸部であって、前記飲み口の近傍で該飲み口と対応した部位に形成され、下唇が該凸部に接することで前記飲み口の位置を下唇の感触により知覚せしめる凸部と、
を具備することを特徴とする飲料用容器の蓋。
【請求項２】
上面と底面と側面とを有する容器本体と、
前記上面の前記側面寄りの部位に開口する飲み口と、
前記側面に設けられる凸部であって、前記飲み口の近傍で該飲み口と対応した部位に形成され、下唇が該凸部に接することで前記飲み口の位置を下唇の感触により知覚せしめる凸部と、
を具備することを特徴とする飲料用容器。
【発明の詳細な説明】
【技術分野】
【０００１】
本発明は、飲料用容器、および飲料用容器の蓋に関し、特に、飲み口の位置を目で確認しなくても、こぼさずに飲料を飲むことができる飲料用容器およびこの容器に用いる蓋に関する。
【背景技術】
【０００２】
従来、例えばファーストフード店などにおいては、紙製やプラスチック製の飲料用容器がよく利用されている。この飲料用容器は、飲料を入れる容器本体と、この容器本体に着脱自在に取付けられる蓋とを有する。そしてこの蓋の上面には、飲み口が開口している。飲用者は、まずこの飲み口の位置を目で確認し、その確認した飲み口を自らの口に近づける動作を行う。そして飲み口に口付けをした状態で、容器本体を傾けることで、蓋を取り外すことなく容器内の飲料を飲むことができる。
【０００３】
また、飲料用容器の缶体内の飲料を飲み易くした飲料用容器が提供されている（例えば特許文献１参照）。この飲料用容器には、缶体の缶胴部の上端に、下唇に対向して凹曲面状に湾曲した形状を有する唇受けがプルタブに対向して形成されている。この飲料用容器を用いると、缶体内の飲料を飲むときに下唇が唇受けと係合し、缶体内の飲料を飲むときに下唇に加えられる圧迫感が減殺される。
【特許文献１】特開平１１−１０５８６８号公報（第２項右欄、図１）
【発明の開示】
【発明が解決しようとする課題】
【０００４】
例えば別の作業に集中しているときなど、飲み口の位置を目で確認せずに飲料を飲みたい場合がある。このような場合、飲用者は飲料用容器をとりあえず口元まで運び、自らの唇の感触で飲み口を探り、飲み口を口元に合わせる動作を行う。  
しかし、従来の飲料用容器においては、飲み口は蓋の上面にただ開口しているだけである。したがって、唇の感触だけでは飲み口の位置を完全に把握することは難しく、飲み口の位置を誤って認識してしまい、飲料をこぼしてしまう場合もある。
【０００５】
また、従来の飲料用容器を用いた場合、目が不自由な者は、自ら飲み口の位置を確認することができず、飲み口を口元に合わせるのに介護者の助けを借りる場合もある。
【０００６】
特許文献１記載の飲料用容器には、下唇と係合する唇受けが設けられている。しかし、この唇受けは、下唇に加えられる圧迫感が減殺するために設けられたものであり、この唇受けを用いて飲み口の位置を特定することは容易でない。
【０００７】
本発明の目的は、飲み口の位置を目で確認しなくても、容易に飲料を飲むことができる飲料用容器を得ることにある。
【課題を解決するための手段】
【０００８】
本発明の一つの形態に係る飲料用容器の蓋は、
上面と側面とを有する蓋体と、
前記上面の前記側面寄りの部位に開口する飲み口と、
前記側面に設けられる凸部であって、前記飲み口の近傍で該飲み口と対応した部位に形成され、下唇が該凸部に接することで前記飲み口の位置を下唇の感触により知覚せしめる凸部とを具備する。
【発明の効果】
【０００９】
この構成によれば、飲用者は、下唇を凸部に合わせることで、唇により飲み口の位置を把握することができる。したがって飲用者は、目で飲み口を確認しなくてもその位置を把握でき、容易に飲料を飲むことができる。
【発明を実施するための最良の形態】
【００１０】
以下に、本発明の第１の実施形態について、図１から図４を参照して説明する。
【００１１】
図１は、本発明の第１の実施形態に係る飲料用容器１１を開示している。飲料用容器１１は、容器本体１２と、この容器本体１２に取付けられる蓋１３とを備える。
【００１２】
容器本体１２は、円状の底面２１と、この底面２１の全周から起立する側面２２とを有する。すなわち容器本体１２は、上方が開口する筒状に形成されている。容器の側面２２は、底面２１に隣接する部分から上方になるにつれて、内径が大きくなるテーパ状に形成されている。容器の側面２２は、その最上部に、側面２２を構成する部材の一部が折り返された折返部２２ａを有する。
【００１３】
蓋１３は、蓋体３１、飲み口３２、および凸部としての突起部３３を備えている。蓋体３１は、図２および図３に示すように、上面３５、側面３６、湾曲部３７、およびスカート３８を有する。蓋体３１の上面３５は、蓋体３１の最上部において、円形状をしている。上面３５は、陥没部３５ａを有する。陥没部３５ａは、上面３５の中央部位において、上面３５の他の部位に比べて表面が一段低くなっている。
【００１４】
飲み口３２は、蓋体３１の上面３５のなかで陥没部３５ａでない部位、すなわち側面３６寄りの部位に設けられている。飲み口３２は、四角形状をしており、上方に向けて開口している。ただし、飲み口の形状は上記の形状に限られず、多角形であってもよく、円形や楕円形状をしていてもよい。蓋体３１の側面３６は、上面３５の全周から下方に向かって延びている。また側面３６は、下方になるにつれて内径が大きくなるテーパ状に形成されている。
【００１５】
突起部３３は、蓋体３１の側面３６において、飲み口３２の近傍で飲み口３２に対応した部位に設けられている。すなわち、突起部３３は、蓋体３１の上面３５の中心を基点として、飲み口３２が形成された方向に位置する部位に設けられている。突起部３３は、側面３６の上下方向の中央部位に形成されている。  
突起部３３は、図３に示すように、外向きに張り出す円弧状に形成された断面形状を有する凸部である。また、突起部３３は、線状の凸部であり、長手方向を周方向にして、蓋体３１の側面３６に沿って設けられている。突起部３３の長さは、飲み口３２の横幅より一回り小さい。突起部３３は、側面３６と一体に成形されている。
【００１６】
蓋体３１の側面３６の下端には、全周にわたって湾曲部３７が設けられている。湾曲部３７は、第１の湾曲部３７ａ、第２の湾曲部３７ｂ、および係止部３７ｃを有する。第１の湾曲部３７ａは、下向きに凸に湾曲している。第２の湾曲部３７ｂは、上向きに凸に湾曲している。側面３６の下端には、まず第１の湾曲部３７ａが連続しており、第１の湾曲部３７ａに第２の湾曲部３７ｂが連続している。そしてこの第２の湾曲部３７ｂには、係止部３７ｃが連続している。
【００１７】
湾曲部３７の下端には、スカート３８が設けられている。スカート３８は、湾曲部３７の全周から、下方になるにつれて内径を大きくしながら、下方に向かって延びている。なおこれら、上面３５、側面３６、湾曲部３７、およびスカート３８は、全て一体に成形されている。蓋１３の材料としては、例えば、プラスチック、紙、または熱可塑性の樹脂などが用いられる。
【００１８】
次に、飲料用容器１１を用いた飲料の飲み方について説明する。  
まず、容器本体１２に飲料物を注ぎ、蓋１３を容器本体１２に取付ける。この取付けは、容器本体１２の折返部２２ａを、スカート３８に沿って蓋体３１の奥まで差込むことにより行われる。すなわち、折返部２２ａが湾曲部３７の係止部３７ｃにより下方から支持される位置まで、容器本体１２が蓋体３１に差込まれることで、蓋１３が容器本体１２に固定される。一方、スカート３８をつかみ、第１および第２の湾曲部３７ａ，３７ｂを弾性変形させることで、蓋１３を容器本体１２から容易に取り外すことができる。
【００１９】
飲料用容器１１を用いて飲料を飲む場合、蓋１３に設けられた飲み口３２の位置を目で確認する必要はない。まず、飲用者は、下唇Ｌを蓋１３の側面３６に当て、下唇Ｌの感触により突起部３３を探し、下唇Ｌを突起部３３に合わせる。ここで、突起部３３のすぐ上方には、飲み口３２が開口している。したがって、飲用者は、突起部３３の位置を下唇Ｌにより認識することで、間接的に飲み口３２の位置を知覚する。換言すれば、飲用者は、下唇Ｌを突起部３３に合わせることで、上面３５に開口する飲み口３２を飲用者側に位置するようにする。この状態で容器本体１２を傾けることで、飲用者は飲料を飲むことができる。
【００２０】
このような構成によると、飲用者は、下唇Ｌを突起部３３に合わせることで、下唇Ｌの感触により飲み口３２の位置を知覚することができる。すなわち、下唇Ｌを用いて飲み口３２を飲用者側に確実に持ってくることができる。この状態で容器本体１２を傾けることで、飲用者は、飲み口３２の位置を目で確認しなくても、こぼすことなく容易に飲料を飲むことができる。
【００２１】
さらに言えば、突起部３３のように形成された凸部を利用して飲料を飲む場合、間接的に飲み口３２の位置を把握する必要さえない。すなわち、飲み口３２は蓋体３１の上面３５に設けられ、突起部３３は蓋体３１の側面３６に設けられている。そして、突起部３３の突起方向は、側面３６の外側を向いている。これにより、飲用者が下唇Ｌの上面を突起部３３の突起方向の頂点３３ａに当てた状態で容器本体１２を傾けると、図４に示すように、飲み口３２は、必然的に飲用者の口内を向いて開口することになる。すなわち、飲用者は、飲み口３２の位置を把握せずとも、下唇Ｌを突起部３３に合わせるという動作を行うだけで、ごく自然に飲料を飲むことができる。
【００２２】
これにより、例えば、別の作業に集中している場合、飲み口の位置をわざわざ目で確認せずに、容易に飲料を飲むことができる。また、例えば目が不自由な者であっても、その者が飲料用容器１１を一度手にすれば、自らの下唇を用いることで、介護者の助けを借りることなく、容易に飲料を飲むことができる。  
さらに、例えば映画館などのように周囲が暗い状態であり、飲み口の位置を目で確認することが困難な場合でも、本実施形態に係る飲料用容器１１を用いれば、容易に飲料を飲むことができる。
【００２３】
次に、本発明の第２の実施形態に係る飲料用容器１１ａについて、図５を参照して説明する。なお、第１の実施形態に係る飲料用容器１１と同じ機能を有する構成は、同一の符号を付してその説明を省略する。第２の実施形態に係る飲料用容器１１ａは、第１の実施形態に係る突起部３３に代えて、複数の突起４１を有する。
【００２４】
蓋体３１の側面３６において、飲み口３２の近傍で飲み口３２と対応した部位には、凸部として３つの突起４１が設けられている。３つの突起４１は、蓋体３１の側面３６の上下方向の中央部位において、周方向に等間隔に並んで形成されている。それぞれの突起４１は、外向きに張り出す円弧状に形成された断面形状を有する。両端に位置する突起４１の間隔は、飲み口３２の横幅より一回り小さい。突起４１は、側面３６と一体に成形されている。
【００２５】
飲料用容器１１ａを用いて飲料を飲む場合、飲用者は、まず下唇Ｌを蓋１３の側面３６に当て、下唇Ｌの感触により突起４１を探し、下唇Ｌを突起４１に合わせる。ここで、突起４１のすぐ上方には、飲み口３２が開口している。したがって、飲用者は、突起４１の位置を下唇Ｌにより認識することで、飲み口３２の位置を知覚する。この状態で容器本体１２を傾けることで、飲用者は飲み口の位置を目で確認しなくても、容易に飲料を飲むことができる。
【００２６】
次に、本発明の第３の実施形態に係る飲料用容器１１ｂについて、図６を参照して説明する。なお、第１の実施形態に係る飲料用容器１１と同じ機能を有する構成は、同一の符号を付してその説明を省略する。第３の実施形態に係る飲料用容器１１ｂは、第１の実施形態に係る突起部３３に代えて、縦方向に長手方向もつ突起部４２を有する。
【００２７】
蓋体３１の側面３６において、飲み口３２の近傍で飲み口３２と対応した部位には、凸部としての突起部４２が設けられている。突起部４２は、蓋体３１の側面３６の上端から湾曲部３７にわたって、下向きに末広がりに形成されている。突起部４２は、水平方向に切断した断面形状が外向きに張り出す円弧状をしている。突起部４２の奥行き厚さは、側面３６の上端ではゼロであり、下方になるにつれて、厚さが大きくなる。突起部４２の下端は、湾曲部３７と一体に成形され、突起部４２の内部は中空に形成されている。この突起部４２の中空部分は、蓋体３１の内部の中空部分と連続し、一つの空間を形成している。
【００２８】
飲料用容器１１ｂを用いて飲料を飲む場合、飲用者は、まず下唇Ｌを蓋１３の側面３６に当て、下唇Ｌの感触により突起部４２を探し、下唇Ｌを突起部４２に合わせる。ここで、突起部４２のすぐ上方には、飲み口３２が開口している。したがって、飲用者は、突起部４２の位置を下唇Ｌにより認識することで、飲み口３２の位置を知覚する。この状態で容器本体１２を傾けることで、飲用者は飲み口の位置を目で確認しなくても、容易に飲料を飲むことができる。
【００２９】
また、突起部４２は、長手方向を縦方向にして設けられ、かつ、内部が中空に形成されている。したがって、複数の蓋１３を上下に重ねた場合、突起部４２の中空部分には、１つ下に重ねられる蓋１３の突起部４２が収容されることになる。すなわち、各蓋１３の間に生じる隙間を必要最小限に抑えることができ、複数の蓋１３をコンパクトに重ねることができる。
【００３０】
次に、本発明の第４の実施形態に係る飲料用容器５１について、図７および図８を参照して説明する。図７は、本発明の第４の実施形態に係る飲料用容器５１を開示している。飲料用容器５１は、容器本体５２、飲み口５３、および凸部としての突起部５４を備える。
【００３１】
容器本体５２は、上面６１、底面６２、側面６３、およびフランジ部６４を有する。上面６１および底面６２は、円形状に形成されている。側面６３は、上方および下方が開口した円筒状に形成されている。上面６１の周縁には、容器本体５２の側面の一部となるフランジ部６４が一体に成形されている。フランジ部６４は、上面６１の全周から起立している起立部６４ａと、起立部６４ａの先端から下方に向かって折返されているつば部６４ｂとを有する。
【００３２】
この起立部６４ａとつば部６４ｂとの間に容器本体５２の側面６３を挿入し、フランジ部６４を側面６３に接合することで、容器本体５２の上方は水密に密閉されている。底面６２にも同様にフランジ部６４が一体に成形され、同様の取付けにより容器本体５２の下方も水密に密閉されている。容器本体５２の材料としては、例えば、スチールやアルミニウムなどが用いられる。
【００３３】
飲み口５３は、容器本体５２の上面６１において側面６３寄りの部位に設けられ、上方を向いて開口している。飲み口５３は、販売時には飲み口蓋５３ａにより水密に閉鎖されている。また上面６１には、飲み口５３に隣接して、飲み口蓋５３ａを開けるためのプルタブ部６５が設けられている。
【００３４】
突起部５４は、容器本体５２の側面の一部としてのつば部６４ｂにおいて、飲み口５３の近傍で飲み口５３に対応した部位に設けられている。すなわち、突起部５４は、容器本体５２の上面６１の中心を基点として、飲み口５３が形成された方向に位置する部位に設けられている。突起部５４は、つば部６４ｂの上下方向の中央部位に形成されている。突起部５４は、図８に示すように、外向きに張り出す半円状に形成された断面形状を有する凸部である。また突起部５４は、線状の凸部であり、長手方向を周方向にして、つば部６４ｂに沿って設けられている。突起部５４の長さは、飲み口５３の横幅より一回り小さい。突起部５４は、つば部６４ｂと一体に成形されている。
【００３５】
次に、飲料用容器５１を用いた飲料の飲み方について説明する。  
飲用者は、まず下唇Ｌをつば部６４ｂに当て、下唇Ｌの感触により突起部５４を探し、下唇Ｌを突起部５４に合わせる。ここで、突起部５４のすぐ上方には、飲み口５３が開口している。したがって、飲用者は、突起部５４の位置を下唇Ｌにより認識することで、飲み口５３の位置を知覚する。この状態で容器本体５２を傾けことで、飲用者は飲料を飲むことができる。
【００３６】
次に、本発明の第５の実施形態に係る飲料用容器５１ａについて、図９を参照して説明する。なお、第４の実施形態に係る飲料用容器５１と同じ機能を有する構成は、同一の符号を付してその説明を省略する。第５の実施形態に係る飲料用容器５１ｂは、第４の実施形態に係る突起部５４に代えて、複数の突起７１を有する。
【００３７】
つば部６４ｂにおいて、飲み口５３の近傍で飲み口５３と対応した部位には、凸部として３つの突起７１が設けられている。３つの突起７１は、つば部６４ｂの上下方向の中央部位において、周方向に等間隔に並んで形成されている。それぞれの突起７１は、外向きに張り出す半円状に形成された断面形状を有する。両端に位置する突起７１の間隔は、飲み口５３の横幅より一回り小さい。突起７１は、つば部６４ｂと一体に成形されている。
【００３８】
飲料用容器５１ａを用いて飲料を飲む場合、飲用者は、まず下唇Ｌを蓋１３のつば部６４ｂに当て、下唇Ｌの感触により突起７１を探し、下唇Ｌを突起７１に合わせる。ここで、突起７１のすぐ上方には、飲み口５３が開口している。したがって、飲用者は、突起７１の位置を下唇Ｌにより認識することで、飲み口５３の位置を知覚する。この状態で容器本体５２を傾けることで、飲用者は飲み口の位置を目で確認しなくても、容易に飲料を飲むことができる。
【００３９】
なお、第４および第５の実施形態では、突起部５４および突起７１は、つば部６４ｂに設けられているが、例えば図９中に２点鎖線で示すように、容器本体５２の側面６３に直接に突起７１ａを設けてもよく、同様の位置に線状の突起部を設けてもよい。
【００４０】
以上、第１から第５の実施形態に係る飲料用容器１１，１１ａ，１１ｂ，５１，５１ａについて説明したが、各飲料用容器に設けられる突起部３３，４２，５４および突起４１，７１は、蓋１３またはつば部６４ｂと別体に成形してもよい。すなわち、凸部を蓋またはつば部と別体に成形し、既成の蓋に後付けしてもよい。
【００４１】
なお、第１、第３および第４の実施形態に係る突起部３３，４２，５４は、それぞれ１本の線状に形成されるが、上下または左右に２本以上の線状の突起部を並べて配置してもよい。また第２および第５の実施形態に係る突起４１，７１の数は、それぞれ３つに限定されるものではなく、１つ以上の数で飲み口の近傍に配置できる数以下であれば、いくつでもよい。また凸部の形状も、第１から第５の実施形態に係るものに限られず、飲用者が下唇の感触に容易に認識することができるものであれば、その大きさ、形状は特に限定されない。例えば、円筒状や円錐形状の突起、三角錐などの多角錐の形状でもよい。
【図面の簡単な説明】
【００４２】
【図１】本発明の第１の実施形態に係る飲料用容器の斜視図。
【図２】図１に示された飲料用容器の蓋部分を拡大して示した斜視図。
【図３】図１中に示された蓋のＡ−Ａ線に沿う断面図。
【図４】図１中に示された飲料用容器の使用状態を示す図。
【図５】本発明の第２の実施形態に係る飲料用容器の斜視図。
【図６】本発明の第３の実施形態に係る飲料用容器の斜視図。
【図７】本発明の第４の実施形態に係る飲料用容器の斜視図。
【図８】図７中に示された飲料用容器のＢ−Ｂ線に沿う断面図。
【図９】本発明の第５の実施形態に係る飲料用容器の斜視図。
【符号の説明】
【００４３】
Ｌ…下唇、１１…飲料用容器、１２…容器本体、１３…蓋、２１…容器本体の底面、２２…容器本体の側面、２２ａ…折返部、３１…蓋体、３２…飲み口、３３…突起部、３５…蓋体の上面、３６…蓋体の側面、４１…突起、４２…突起部、５１…飲料用容器、５２…容器本体、５３…飲み口、５４…突起部、６１…容器本体の上面、６２…容器本体の底面、６３…容器本体の側面、６４…フランジ部、６４ｂ…つば部、７１…突起。
【図１】
2006312467.tif 000003
【図２】
2006312467.tif 000004
【図３】
2006312467.tif 000005
【図４】
2006312467.tif 000006
【図５】
2006312467.tif 000007
【図６】
2006312467.tif 000008
【図７】
2006312467.tif 000009
【図８】
2006312467.tif 000010
【図９】
2006312467.tif 000011